(57)【要約】【課題】構造を簡略化しながらレーキに付着した塵芥を確実に掻き落として落下させることができる除塵機を提供する。【解決手段】水路１１に設けたバースクリーン１２に平行に設けたガイドレール１３に沿って昇降する昇降体１４と、昇降体に揺動可能に取り付けられたレーキアーム１５と、レーキアーム１５のバースクリーン側に設けられて上昇時にバースクリーンに捕捉された塵芥を掻き揚げるレーキ１６と、レーキアーム１５の反バースクリーン側に設けられた駆動アーム３６を牽引して昇降体及びレーキアームをガイドレール１３に沿って昇降させる駆動機構とを備え、ガイドレールの上端部を反バースクリーン方向に傾斜させた傾斜ガイド部２５を設けるとともに、レーキアームがアームガイドに沿って上昇したときに、下端部がレーキの上面部に摺接してレーキに付着した塵芥を落下させるワイパー１７を揺動可能に設ける。【選択図】図１
2007138548.tif 000002
【特許請求の範囲】
【請求項１】
水路内の塵芥を捕捉するバースクリーンと、該バースクリーンの前面に平行に配置されたガイドレールに沿って昇降する昇降体と、該昇降体に揺動可能に取り付けられたレーキアームと、該レーキアームのバースクリーン側に設けられて前記昇降体の上昇時に前記バースクリーンに捕捉された塵芥を掻き揚げるレーキと、前記レーキアームの反バースクリーン側に設けられた駆動アームを牽引して前記昇降体及びレーキアームをガイドレールに沿って昇降させる駆動機構とを備えた除塵機において、前記ガイドレールの上端部を反バースクリーン方向に傾斜させた傾斜ガイド部を設けるとともに、前記レーキアームがアームガイドに沿って上昇したときに、下端部が前記レーキの上面部に摺接してレーキに付着した塵芥を落下させるワイパーを揺動可能に設けたことを特徴とする除塵機。
【発明の詳細な説明】
【技術分野】
【０００１】
本発明は、除塵機に関し、詳しくは、水路を流れる流水中の塵芥をバースクリーンで捕捉し、該バースクリーンで捕捉した塵芥をレーキによって自動的に水路外に排出する除塵機に関する。
【背景技術】
【０００２】
取水口、分水口、揚排水機場等の水路に設けられる除塵機は、一般に、水路内に配設したバースクリーンにより水路を流れる塵芥を捕捉し、捕捉した塵芥をバースクリーンの前面に沿って上昇するレーキにより掻き揚げ、レーキの上昇端付近の下方に設けたシュート内に落下させて水路内から除去するように構成されている。
【０００３】
このような除塵機として、水路内の塵芥を捕捉するバースクリーンと、該バースクリーンの前面に平行に配置されたガイドレールに沿って昇降する昇降体と、該昇降体に取り付けられて前記昇降体の上昇時に前記バースクリーンに捕捉された塵芥を掻き揚げるレーキを下端に有するレーキアームと、前記昇降体をガイドレールに沿って昇降させる駆動機構とを備え、昇降体の上昇時にレーキアームを上方向に移動させてバースクリーンが捕捉した塵芥をレーキで掻き揚げるとともに、レーキアームが最上端に上昇したときにレーキに付着した塵芥をワイパーによってシュートに落下させるようにした除塵機が知られている（例えば、特許文献１参照。）。
【特許文献１】特許第３３０７７８３号公報
【発明の開示】
【発明が解決しようとする課題】
【０００４】
しかし、前記特許文献１に記載された除塵機は、除塵機の高さを低く抑えることができるという利点は有しているものの、レーキアームを上下動させるための機構が必要になり、フレームや昇降体部分の構造が複雑になってしまうという問題があった。
【０００５】
そこで本発明は、構造を簡略化しながらレーキに付着した塵芥を確実に掻き落として落下させることができる除塵機を提供することを目的としている。
【課題を解決するための手段】
【０００６】
上記目的を達成するため、本発明の除塵機は、水路内の塵芥を捕捉するバースクリーンと、該バースクリーンの前面に平行に配置されたガイドレールに沿って昇降する昇降体と、該昇降体に揺動可能に取り付けられたレーキアームと、該レーキアームのバースクリーン側に設けられて前記昇降体の上昇時に前記バースクリーンに捕捉された塵芥を掻き揚げるレーキと、前記レーキアームの反バースクリーン側に設けられた駆動アームを牽引して前記昇降体及びレーキアームをガイドレールに沿って昇降させる駆動機構とを備えた除塵機において、前記ガイドレールの上端部を反バースクリーン方向に傾斜させた傾斜ガイド部を設けるとともに、前記レーキアームがアームガイドに沿って上昇したときに、下端部が前記レーキの上面部に摺接してレーキに付着した塵芥を落下させるワイパーを揺動可能に設けたことを特徴としている。
【発明の効果】
【０００７】
本発明の除塵機によれば、ガイドレール上端部の反バースクリーン方向に傾斜した部分を昇降体が上昇する過程でレーキアームが揺動しながら上昇し、これに伴ってレーキがバースクリーン側に突出していくので、ワイパーは、上昇しながらバースクリーン側に突出するレーキの上面を基端側から先端側に向かって摺接する状態になり、レーキに付着した塵芥を確実に落下させることができる。また、ガイドレールの所定位置から上方を反バースクリーン方向に傾斜させるとともに、所定位置にワイパーを揺動可能に設けるだけでよいことから、除塵機全体の構造を大幅に簡略化することができる。
【発明を実施するための最良の形態】
【０００８】
図１乃至図３は本発明の除塵機の一形態例を示すもので、図１は除塵機の側面図、図２は同じく一部を省略した正面図、図３は同じく一部を省略した平面図である。また、図４乃至図７はレーキ及びワイパーの作動状態を示すもので、図４はワイパーの近傍位置までレーキが上昇した状態を示す説明図、図５は昇降体がガイドレールの最上端近傍に上昇したときの状態を示す説明図、図６は昇降体が最上端に上昇したときの状態を示す説明図、図７は昇降体が下降に転じた状態を示す説明図である。
【０００９】
この除塵機は、水路１１内の塵芥を捕捉するバースクリーン１２と、該バースクリーン１２の前方中央部上方に設けられたガイドレール１３と、該ガイドレール１３に沿って昇降する昇降体１４と、該昇降体１４に揺動可能に取り付けられたレーキアーム１５と、該レーキアーム１５の下端に取り付けられたレーキ１６と、レーキ１６の上昇端付近に揺動可能に設けられたワイパー１７と、塵芥を回収するためのシュート１８とを有している。
【００１０】
バースクリーン１２は、水路幅方向に多数のスクリーンバーを所定間隔で平行に並べたものであって、上方が下流側に向かって僅かに傾斜した状態で設けられている。シュート１８は、バースクリーン１２の上端に連設したエプロン１９の下流側に隣接して設けられており、レーキ１６によってバースクリーン１２からエプロン１９の上端に掻き揚げられ、ワイパー１７によって掻き落とされた塵芥を塵芥回収部２０に落下させるように形成されている。
【００１１】
ガイドレール１３は、水路１１を跨ぐようにして設けられたフレーム２１及びバースクリーン１２の側縁部との間に設けた支持部材２２によって支持されるものであって、前記昇降体１４をバースクリーン１２の前面に平行な方向に昇降させる直線状の昇降用ガイドレール２３と、該昇降用ガイドレール２３の反バースクリーン側（水路上流側）に連設された無端状の牽引用ガイドレール２４とを有している。
【００１２】
前記昇降用ガイドレール２３は、一対の溝形鋼を背中合わせに配置して水路幅方向両側に開口するガイド用凹溝をそれぞれ形成したものであって、昇降用ガイドレール２３の上端部には、所定長さを反バースクリーン側に傾斜させた傾斜ガイド部２５が屈曲形成されている。また、牽引用ガイドレール２４の上端には、モーター２６に連結した駆動用のスプロケット２７が設けられており、このスプロケット２７から牽引用ガイドレール２４の下端部にわたってレーキ１６を作動させるための無端状の駆動用チェーン２８が装着されている。この駆動用チェーン２８は、前記モーター２６でスプロケット２７を駆動することにより、牽引用ガイドレール２４のバースクリーン側では上昇方向、反バースクリーン側では下降方向となる一定方向に循環作動する。
【００１３】
昇降体１４は、前記昇降用ガイドレール２３を両側から挟むように配置した一対の支持板２９の上下にそれぞれ２個ずつのガイドローラ３０を取り付けたものであって、このガイドローラ３０が昇降用ガイドレール２３の両側のガイド用凹溝内をそれぞれ転動することにより、バースクリーン１２の前方をバースクリーン１２と平行な方向に昇降し、昇降用ガイドレール２３の上端部に上昇したときには、少なくとも上方のガイドローラー３０が前記傾斜ガイド部２５に進入するように形成されている。昇降体１４の上部には、上方のガイドローラー３０と同軸に水平方向の支持軸３１が設けられており、支持板２９の両側に突出した支持軸３１の両端部には、前記レーキアーム１５が揺動可能に取り付けられている。
【００１４】
レーキアーム１５は、昇降体１４を両側から挟むように配置される一対のアーム基部材３２と、両アーム部材３２のバースクリーン側先端から下方に延出したアーム部材３３と、両アーム部材３３間を連結する水平方向の補強部材３４とで形成されており、アーム基部材３２の基端部３２ａが前記支持軸３１に揺動可能に装着されている。両アーム部材３２の下端には、前記レーキ１６が水平方向に取り付けられている。また、一方のアーム基部材３２の反バースクリーン側には、前記駆動用チェーン２８に連結部材３５を介して連結される駆動アーム３６が斜め下方に向かって延設されている。
【００１５】
レーキ１６は、上昇時にバースクリーン１２が捕捉した塵芥を上方に掻き揚げるように、その先端形状がバースクリーン１２のスクリーンバーの間に進入可能な櫛歯状に形成されており、下降時には、レーキアーム１５が前記支持軸３１を中心として水路上流側（反バースクリーン側）に揺動することにより、バースクリーン１２から離れた水路上流側を下降する。
【００１６】
ワイパー１７は、フレーム２１の上端部に設けられた左右一対のワイパー支持部材３７に揺動可能に設けられており、ワイパー１７の基部１７ａがワイパー支持部材３７の揺動軸３７ａに吊持されて自重で所定位置に垂下するように形成されている。このワイパー１７は、レーキ１６が上昇したときに、下端部がレーキ１６の上面部に当接して押し上げられる状態となり、基部１７ａが揺動軸３７ａを中心として揺動することにより、下端部がレーキ１６の上面部基部側から先端側に向かって摺接し、レーキ１６に付着した塵芥を掻き落としてシュート１８に落下させる。
【００１７】
このように形成した除塵機の前記モーター２６を作動させ、スプロケット２７を介して駆動用チェーン２８を牽引用ガイドレール２４に沿って循環させると、この駆動用チェーン２８に連結された連結部材３５を介して駆動アーム３６が牽引されることにより、支持軸３１により連結された昇降体１４が昇降用ガイドレール２３及び傾斜ガイド部２５に沿って昇降する。
【００１８】
駆動アーム３６の先端が牽引用ガイドレール２４の下流側、バースクリーン側を上昇しているときには、レーキ１６がバースクリーン１２の最下端からバースクリーン前面に沿って上昇し、バースクリーン１２に捕捉された塵芥を水路１１の上方に向かって掻き揚げる状態となる。
【００１９】
図４に示すように、昇降体１４の上方のガイドローラー３０が昇降用ガイドレール２３の傾斜ガイド部２５の下端部分にまで上昇したときに、駆動アーム３６の先端は牽引用ガイドレール２４の下流側を直線状に上昇する状態、レーキ１６はエプロン１９の上端を超えた状態、ワイパー１７の下端部がレーキ１６の上面部基部側に当接する直前の状態となる。
【００２０】
そして、図５に示すように、昇降体１４が最上端近傍に上昇し、昇降体１４の上方のガイドローラー３０が傾斜ガイド部２５に沿って反バースクリーン側の上方に向かって斜めに上昇していくと、牽引用ガイドレール２４に沿ってバースクリーン１２と平行な方向に直線的に上昇する駆動アーム３６の連結部材３５の位置と、傾斜ガイド部２５に沿って反バースクリーン側に向かって上昇するアーム基部材３２の基端部３２ａとの位置関係から、レーキアーム１５が支持軸３１を中心として、図４の状態から図５の状態に反時計回りに揺動することにより、レーキ１６はシュート１８方向に突出しながら上昇していく状態となる。
【００２１】
このレーキ１６の移動に伴い、ワイパー１７の下端部がレーキ１６の上面部基部側に当接した後、揺動軸３７ａを中心として揺動しながらレーキ１６の上面部基部側から先端側に向かって摺接し、レーキ１６に付着した塵芥をシュート１８に落下させる。
【００２２】
さらに、図６に示すように、昇降体１４が最上端に上昇していくと、駆動アーム３６の連結部材３５はスプロケット２７の外周部に沿って円弧状に上方に移動し、アーム基部材３２の基端部３２ａは傾斜ガイド部２５に沿って上昇するので、両者の位置関係から、レーキ１６は上昇しながら略鉛直方向に上昇する状態となり、ワイパー１７はレーキ１６の先端から塵芥を完全に落下させた状態の位置まで移動する。
【００２３】
図７に示すように、駆動アーム３６の連結部材３５がスプロケット２７に沿って円弧状に最上端から牽引用ガイドレール２４の上流側部分に移動して昇降体１４が下降に転じると、連結部材３５が牽引用ガイドレール２４の上流側を直線状に下降し、昇降体１４の上方のガイドローラー３０は傾斜ガイド部２５に沿ってバースクリーン側下方に向かって斜めに下降する。したがって、両者の位置関係から、レーキアーム１５が支持軸３１を中心として、図６の状態から図７の状態に反時計回りに揺動し、レーキ１６はバースクリーン１２から離れた位置を直線的に水路１１の底部に向かって下降する状態となる。
【００２４】
連結部材３５が牽引用ガイドレール２４の最下端に達し、昇降体１４がガイドレール１３の最下端に達すると、連結部材３５が牽引用ガイドレール２４にガイドされて上流側から下端部を通って下流側に円弧状に移動し、昇降体１４がガイドレール１３を上昇する状態となる。この状態は、連結部材３５と基端部３２ａの位置関係が図４に示した状態と同じであり、レーキ１６がバースクリーン１２に捕捉された塵芥を水路１１の上方に向かって掻き揚げる状態となる。
【００２５】
このように、牽引用ガイドレール２４に装着した駆動用チェーン２８を一定方向に駆動してレーキアーム１５の駆動アーム３６先端を牽引用ガイドレール２４に沿って循環移動させるとともに、昇降体１４を昇降用ガイドレール２３に沿って昇降させることにより、レーキ１６によってバースクリーン１２が捕捉した塵芥を水路１１の上方に向かって掻き揚げ、ワイパー１７によってレーキ１６から塵芥を掻き落とす動作を繰り返して水路１１内を流れる塵芥を塵芥回収部２０に連続的に排出することができる。
【００２６】
そして、昇降用ガイドレール２３の上端部に傾斜ガイド部２５を設けてレーキ１６を上昇させながらシュート１８方向に突出させるとともに、揺動可能に設けたワイパー１７によってレーキ１６に付着した塵芥を落下させるように形成しているので、除塵機の構造を大幅に簡略化することができ、製造コストの低減を図れるとともに、保守も容易であり、ランニングコストの低減も図れる。
【図面の簡単な説明】
【００２７】
【図１】本発明の除塵機の一形態例を示す側面図である。
【図２】同じく除塵機の一部を省略した正面図である。
【図３】同じく除塵機の一部を省略した平面図である。
【図４】ワイパーの近傍位置までレーキが上昇した状態を示す説明図である。
【図５】昇降体がガイドレールの最上端近傍に上昇したときの状態を示す説明図である。
【図６】昇降体が最上端に上昇したときの状態を示す説明図である。
【図７】昇降体が下降に転じた状態を示す説明図である。
【符号の説明】
【００２８】
１１…水路、１２…バースクリーン、１３…ガイドレール、１４…昇降体、１５…レーキアーム、１６…レーキ、１７…ワイパー、１７ａ…基部、１８…シュート、１９…エプロン、２０…塵芥回収部、２１…フレーム、２２…支持部材、２３…昇降用ガイドレール、２４…牽引用ガイドレール、２５…傾斜ガイド部、２６…モーター、２７…スプロケット、２８…駆動用チェーン、２９…支持板、３０…ガイドローラ、３１…支持軸、３２…アーム基部材、３２ａ…基端部、３３…アーム部材、３４…補強部材、３５…連結部材、３６…駆動アーム、３７…ワイパー支持部材、３７ａ…揺動軸
【図１】
2007138548.tif 000003
【図２】
2007138548.tif 000004
【図３】
2007138548.tif 000005
【図４】
2007138548.tif 000006
【図５】
2007138548.tif 000007
【図６】
2007138548.tif 000008
【図７】
2007138548.tif 000009